(57)【特許請求の範囲】
【請求項１】
複数のノードをリング状の二重化通信パスにより接続し、送信ノードから右回りと左回りとの通信パスにより同一の信号を送出し、受信ノードは前記右回りと左回りとの何れか一方の信号を選択的に受信する二重リングネットワークシステムに於いて、
前記右回りと左回りとの通信パスを介して受信した信号に対してそれぞれ同期をとる同期部と、
該同期部により同期された受信信号の基本切替単位の信号の異常検出により、該基本切替単位又は結合情報に従って前記基本切替単位を複数結合した切替単位で切替えを制御する切替制御部と、
該切替制御部による切替制御により前記右回りと左回りとの信号に対して異常検出側から正常な側へ切替えて出力する切替部と
を備えたことを特徴とする二重リングネットワークシステム。
【請求項２】
前記送信ノードは、前記二重化通信パスの右回りと左回りとに送出する信号をフレーム構成とし、該フレームに前記結合情報を付加して送出する構成を備えたことを特徴とする請求項１記載の二重リングネットワークシステム。
【発明の詳細な説明】
【０００１】
【産業上の利用分野】
本発明は、複数のノード間を二重化した通信パスによってリング状に接続し、送信ノードから右回りと左回りとに同一の信号を送出し、受信ノードは、異常検出により正常側の通信パスに切替えて受信する二重リングネットワークシステムに関するものである。
【０００２】
リングネットワークにおいては、リング内の通信パスを高信頼化するため、端末を収容するリングノード装置から、右回りと左回りに二重化されたリング伝送路のそれぞれのパスに対して端末の信号を送出し、対向の端末を収容する他のリングノード装置において、両方向からの信号のうち、いずれか正常な方の信号を選択する、送信ハイブリッド／受信選択方式がとられている。
【０００３】
このような二重化通信パス切替方式においては、ある切替単位の情報を結合して切り替えることによって、低速から高速まで効率よく切り替えを行なえるようにすることが必要である。
【０００４】
【従来の技術】
図１２は、リングネットワークを示したものであって、右回り伝送路と左回り伝送路とからなるリングネットワークに対して、ノードＡ〜ノードＤを有する場合を例示している。
【０００５】
例えばノードＡにおいては、端末１００からの送信信号は、１０１に示すハイブリッド接続によって右回り伝送路と左回り伝送路に並列に送出され、端末１００に対する受信信号は、１０２に示す選択接続によって、右回り伝送路と左回り伝送路とを切り替えて正常な信号を受信する。ノードＢにおいても同様に、端末２００からの送信信号は、２０１に示すハイブリッド接続によって右回り伝送路と左回り伝送路に並列に送出され、端末２００に対する受信信号は、２０２に示す選択接続によって、右回り伝送路と左回り伝送路とを切り替えて正常な信号を受信する。他のノードについても同様である。
【０００６】
正常な信号を選択接続する場合の判定は、その信号に付加されたフレーム信号またはエラーチェック情報を監視することによって行なわれるが、この場合の監視は、ある信号単位（切替単位）ごとに行なわれる。
【０００７】
このような切替単位としては、従来のディジタル・ハイアラーキ（Ｐｌｅｓｉｏｃｈｒｏｎｏｕｓ  Ｄｉｇｉｔａｌ  Ｈｉｅｒａｒｃｈｙ：ＰＤＨ）では、６４ｋｂｐｓ×６からなるハンドリング・グループ（Ｈａｎｄｌｉｎｇ  Ｇｒｏｕｐｅ  ：ＨＧ）または１．５Ｍｂｐｓ，６．３Ｍｂｐｓ等が用いられているが、近年のＳＤＨ（Ｓｙｎｃｈｒｏｎｏｕｓ  Ｄｉｇｉｔａｌ  Ｈｉｅｒａｒｃｈｙ  ）システムでは、ＶＣ１，ＶＣ２２等のようなある程度多重化した単位が用いられている。
【０００８】
このような切替方式では、上位の伝送路が故障した場合には、下位レベルへの警報（ＡＬＭ）転送によって、一斉に切り替えが行なわれて、通信を確保するとともに、切替単位を構成する回路に故障が生じた場合には、その切替単位のみの切り替えが発生して、その他の切替単位には影響を与えないようになっている。
【０００９】
【発明が解決しようとする課題】
従来の二重化通信パス切替方式においては、切替時に通信を確保するために、ノード間の通信パスの速度が、切替単位の速度に制限されるという問題があった。
【００１０】
複数の切替単位に跨がる速度を有する回線の信号を伝送する場合には、回線の切替論理を０／１系の切り替えとすると、０／１系の切替方式では、右回りの伝送路と左回りの伝送路とが不定位的に０系または１系となるため、個々の切替単位における選択状態が、０系と１系とがばらばらになることがある。
【００１１】
また、切替論理をＮ（正常）／Ｅ（異常）系の切り替えとすると、Ｎ／Ｅ系の切替方式では、右回りの伝送路と左回りの伝送路とが定位的にＮ系またはＥ系となり、Ｎ系正常時には必ずＮ系に切り替えられるため、個々の切替単位の故障で選択状態が他の切替単位と異なることになる。
【００１２】
従って、複数の切替単位が一括して同じ選択状態に保たれることが条件となる回線では、通信の疎通不能になる場合がある。これは、右回りの伝送路と、左回りの伝送路とで、伝送遅延時間の異なる信号が混在することになるためである。
【００１３】
例えば、ＨＧを切替単位とした場合、ＨＧ＝３８４（６４×６）ｋｂｐｓ以上の通信パスを通すことはできない。しかしながら、近年において、データ通信速度の高速化が顕著であって、低速から高速まで柔軟に切替単位を変更可能な、通信パス形式が必要となっているが、従来の二重化通信パス切替方式では、これに対応することができなかった。
【００１４】
本発明は、このような従来技術の課題を解決しようとするものであって、リングネットワークにおける二重化通信のパス切り替えを行なう際に、切替時に通信を確保するために、ノード間の通信パスの速度が、切替単位の速度に制限されない、二重化通信パス切替方式を提供することを目的としている。
【００１５】
【課題を解決するための手段】
（Ｉ）ある信号単位に、定義されたフレーム情報を有する場合は、この信号単位を基本切替単位として、二重化通信パスの切り替えを行なう。
【００１６】
図１は、本発明の原理的構成（１）  を示したものである。図中において、１は第１の伝送フレーム同期部であって、伝送路０系入力（例えば右回り入力）について、ｎ（ｎは自然数）個の基本切替単位（１〜ｎ）からなる伝送フレームの同期をとる。２は第２の伝送フレーム同期部であって、伝送路１系入力（例えば左回り入力）について、ｎ個の基本切替単位（１’〜ｎ’）からなる伝送フレームの同期をとる。
【００１７】
３は第１の基本切替単位同期部であって、第１の伝送フレーム同期部１からの同期をとった０系信号について、基本切替単位ごとに同期をとって、異常時、基本切替単位ごとにＡＬＭ信号（ＡＬＭ１〜ＡＬＭｎ）を出力する。４は第２の基本切替単位同期部であって、第２の伝送フレーム同期部２からの同期をとった１系信号について、基本切替単位ごとに同期をとって、異常時、基本切替単位ごとにＡＬＭ信号（ＡＬＭ１’〜ＡＬＭｎ’）を出力する。
【００１８】
異常の検出は、例えば、信号に付加されたフレーム情報に基づくフレーム同期外れの検出や、信号に付加されたエラーチェック情報の検出により行うことができる。このエラー検出方法としては、信号に付加されたパリティビットを用いたパリティチェックや、信号に付加されたＣＲＣ（Ｃｙｃｌｉｃ  Ｒｅｄｕｎｄａｎｓｙ  Ｃｈｅｃｋ）ビットを用いたエラーチェック等を適用することができる。
【００１９】
５は切替制御部であって、０系のＡＬＭ信号（ＡＬＭ１〜ＡＬＭｎ）と、１系のＡＬＭ信号（ＡＬＭ１’〜ＡＬＭｎ’）に応じて判定を行なって、０系信号と１系信号のいずれを選択すべきかを示す選択信号（ＣＯＮＴ１〜ＣＯＮＴｎ）を出力する。６は切替部であって、切替制御部５からの選択信号（ＣＯＮＴ１〜ＣＯＮＴｎ）に応じて、０系信号と１系信号とを切り替えて出力データを発生する。
【００２０】
この場合、基本切替単位を固定速度として、
▲１▼  通信パス速度が基本切替単位速度以内の場合は、基本切替単位ごとに切り替えを行なう。
▲２▼  通信パス速度が基本切替単位速度を超える場合は、複数の基本切替単位を結合した結合切替単位ごとに切り替えを行なう。
【００２１】
基本切替単位の正常性は、基本切替単位ごとに常時監視するので、基本切替単位ごとに切り替えを行なう▲１▼の場合は、基本切替単位ごとのＡＬＭ信号は、そのまま選択信号に変換され、この選択信号に応じて、切替器でパスを切り替える。
【００２２】
結合切替単位ごとに切り替えを行なう▲２▼の場合は、ある結合切替単位以内の基本切替単位のいずれかで発生したＡＬＭ信号を、予め設定された結合情報によって、結合切替単位内のすべての基本切替単位のＡＬＭ信号に変換することによって、（Ｉ）の場合と同様に、切替器でパスを切替える。
【００２３】
基本切替単位としては、ＡＬＭ（エラーを含む）監視可能な、多重化単位であれば、ＰＤＨのＨＧ，１．５Ｍｂｐｓ，６．３Ｍｂｐｓ等、およびＳＤＨのＶＣ１，ＶＣ２２等のいずれでもよい。
【００２４】
（ＩＩ）定義されたフレーム情報を有しない場合は、伝送路信号に固有のフレーム情報を付加することによって、このフレーム情報を付加された信号単位を切替単位として、同様にパス切り替えを行なう。
【００２５】
図２は、本発明の原理的構成（２）  を示したものである。図中において、図１におけると同じものを同じ番号で示し、７は第１の固有フレーム同期部であって、第１の伝送フレーム同期部１において同期を取った伝送路０系入力について、予めデータ中に設定されている固有フレームについて同期をとって、異常時、切替単位ごとにＡＬＭ信号（ＡＬＭ１〜ＡＬＭｎ）を出力する。８は第２の固有フレーム同期部であって、第２の伝送フレーム同期部２において同期を取った伝送路１系入力について、予めデータ中に設定されている固有フレームについて同期をとって、異常時、切替単位ごとにＡＬＭ信号（ＡＬＭ１’〜ＡＬＭｎ’）を出力する。
【００２６】
このような原理的構成に基づく、本発明の課題を解決するための手段は、次のようなものである。
【００２７】
（１）  複数のノード間を二重化した通信パスによってリング状に接続し、送信ノードにおいてこの通信パスに対して右回りの信号と左回りの信号とを並列に送出するとともに、受信ノードにおいて右回りの信号と左回りの信号とのいずれか一方を選択して受信するネットワークにおいて、通信パスの信号が一定速度の信号に対して定義されたフレーム情報を有する場合、この定義されたフレームを付加された信号単位を基本切替単位として、いずれか一方の信号において基本切替単位の信号に異常が検出されたとき、他方の信号に切り替えて受信する。
【００２８】
（２）  複数のノード間を二重化した通信パスによってリング状に接続し、送信ノードにおいてこの通信パスに対して右回りの信号と左回りの信号とを並列に送出するとともに、受信ノードにおいて右回りの信号と左回りの信号とのいずれか一方を選択して受信するネットワークにおいて、通信パスの信号が一定速度の信号に対して定義されたフレーム情報を有する場合、各ノードにおいて、この定義されたフレームを付加された信号単位を基本切替単位として、右回りの信号と左回りの信号とに対して、それぞれの異常を検出する第１および第２の基本切替単位同期部３，４と、異常検出結果に応じて、基本切替単位ごとに、右回りの信号または左回りの信号を選択する選択信号を発生する切替制御部５と、この選択信号に応じて右回りの信号と左回りの信号とを切り替えて受信信号を出力する切替部６とを備える。
【００２９】
（３）  複数のノード間を二重化した通信パスによってリング状に接続し、送信ノードにおいてこの通信パスに対して右回りの信号と左回りの信号とを並列に送出するとともに、受信ノードにおいて右回りの信号と左回りの信号とのいずれか一方を選択して受信するネットワークにおいて、通信パスの信号が一定速度の信号に対応して定義されたフレーム情報を有する場合、この定義されたフレームを付加された信号単位を基本切替単位として、いずれか一方の信号において、いずれかの基本切替単位に信号の異常が検出されたとき、この基本切替単位を任意数結合した結合切替単位ごとに、他方の信号に切り替えて受信する。
【００３０】
（４）  複数のノード間を二重化した通信パスによってリング状に接続し、送信ノードにおいてこの通信パスに対して右回りの信号と左回りの信号とを並列に送出するとともに、受信ノードにおいて右回りの信号と左回りの信号とのいずれか一方を選択して受信するネットワークにおいて、通信パスの信号が一定速度の信号に対して定義されたフレーム情報を有する場合、各ノードにおいて、この定義されたフレームを付加された信号単位を基本切替単位として、右回りの信号と左回りの信号とに対して、それぞれの異常を検出する第１および第２の基本切替単位同期部３，４と、いずれかの基本切替単位における異常検出時、この基本切替単位を結合情報に応じて複数結合した結合切替単位ごとに、右回りの信号または左回りの信号を選択する選択信号を発生する切替制御部５と、この選択信号に応じて右回りの信号と左回りの信号とを切り替えて受信信号を出力する切替部６とを備える。
【００３１】
（５）  （１）  から（４）  までの場合に、定義されたフレーム情報が、ＩＴＵ−ＴＧ．７０３で規定されたフレーム情報である。
【００３２】
（６）  複数のノード間を二重化した通信パスによってリング状に接続し、送信ノードにおいてこの通信パスに対して右回りの信号と左回りの信号とを並列に送出するとともに、受信ノードにおいて右回りの信号と左回りの信号とのいずれか一方を選択して受信するネットワークにおいて、通信パスの信号が定義されたフレーム情報を有しない場合、通信パスの信号に対して一定速度ごとに固有のフレーム情報を付加し、この一定速度の信号を切替単位として、いずれか一方の信号において、切替単位の信号に異常が検出されたとき、他方の信号に切り替えて受信する。
【００３３】
（７）  複数のノード間を二重化した通信パスによってリング状に接続し、送信ノードにおいてこの通信パスに対して右回りの信号と左回りの信号とを並列に送出するとともに、受信ノードにおいて右回りの信号と左回りの信号とのいずれか一方を選択して受信するネットワークにおいて、通信パスの信号が定義されたフレーム情報を有しない場合、通信パスの信号に対して一定速度ごとに固有のフレーム情報を付加するとともに、各ノードにおいて、この固有のフレームを付加された信号単位を切替単位として、右回りの信号と左回りの信号とに対してそれぞれの異常を検出する第１および第２の固有フレーム同期部７，８と、この異常検出結果に応じて、切替単位ごとに右回りの信号または左回りの信号を選択する選択信号を発生する切替制御部５と、この選択信号に応じて右回りの信号と左回りの信号とを切り替えて受信信号を出力する切替部６とを備える。
【００３４】
（８）  （１）  から（７）  までの場合に、異常の検出を、信号に付加されたフレーム情報に基づくフレーム同期検出によって行なう。
【００３５】
（９）  （１）  から（７）  までの場合に、異常の検出を、信号に付加されたエラーチェック情報に基づく信号のエラー検出によって行なう。
【００３６】
（１０）  （９）  の場合に、異常の検出を、信号に付加されたパリティビットに基づく信号のパリティチェックによって行なう。
【００３７】
（１１）  （９）  の場合に、異常の検出を、信号に付加されたＣＲＣビットに基づく信号のＣＲＣチェックによって行なう。
【００３８】
（１２）  （１）  から（１１）までの場合に、切替制御部５が、右回りの信号と左回りの信号の一方をＮ側、他方をＥ側としたとき、Ｎ側が正常のとき常にＮ側を選択し、Ｎ側が異常のときのみＥ側を選択するＮ／Ｅ系の切り替えを行なう。
【００３９】
【作用】
図３は、本発明の動作タイムチャート（１）  を示したものであって、ある信号単位に、定義されたフレーム情報を有する場合であって、通信パス速度が基本切替単位速度以内の場合の、通信パスの切り替えを示している。
【００４０】
０  系信号，  １系信号は主信号であって、基本的に同一のデータからなるものである。いま、０  系ＡＬＭ信号が、信号１，３に対応してアラーム状態（ＡＬＭ）であり、それ以外は正常状態（ＮＯＲ）であるとともに、１系ＡＬＭ信号が、信号２に対応してアラーム状態（ＡＬＭ）であり、それ以外は正常状態（ＮＯＲ）であるとき、切替制御部５は、正常状態の信号を選択するように選択信号を発生する。なお両系が正常のときは、最後に正常となった系を選択するように選択信号を発生するものとする。切替部６は、選択信号に応じて０系信号と１系信号とを選択して出力データを発生する。
【００４１】
図４は、本発明の動作タイムチャート（２）  を示したものであって、ある信号単位に、定義されたフレーム情報を有する場合であって、通信パス速度が基本切替単位速度を超える場合の、通信パスの切り替えを示している。
【００４２】
通信パス速度が基本切替単位速度を超える場合は、結合情報に応じて基本切替単位を結合して、通信パスの切り替えを行なう。切替制御部５は、結合情報のタイミング内の、いずれかの基本切替単位でＡＬＭ信号が発生したとき、結合切替単位内のすべての基本切替単位のＡＬＭ信号に変換して、通信パスを切り替える選択信号を発生する。例えば信号３，４のタイミングで結合情報が与えられた場合、０系の信号３に対応するＡＬＭ信号の発生によって、１系の信号３’，４’を結合して、出力データを発生する。
【００４３】
図５は、本発明の動作タイムチャート（３）  を示したものであって、伝送路信号に定義されたフレーム情報を有しない場合であって、固有のフレーム情報を付加されている場合の、通信パスの切り替えを示している。
【００４４】
伝送路信号に定義されたフレーム情報を有しない場合は、伝送路信号に固有のフレーム情報を付加して伝送することによって、固有フレーム同期部７，８によって、その正常性を検出して、０系のＡＬＭ信号と、１系のＡＬＭ信号とを発生する。切替制御部５は、固有のフレーム情報を付加された信号単位を切替単位として、ＡＬＭ信号に応じて、正常状態の信号を選択するように選択信号を発生する。切替部６は、選択信号に応じて０系信号と１系信号とを選択して出力データを発生する。
【００４５】
このように、本発明によれば、送信ハイブリッド／受信選択方式をとるリングネットワークにおける、二重化通信のパス切り替えを行なう際に、切替時に通信を確保するために、ノード間の通信パスの速度が、切替単位の速度によって制限されないので、回線構成を効率的に行なうことができるようになる。
【００４６】
【実施例】
図６ないし図１０は、定義されたフレーム情報を有する場合の選択信号の発生を説明するものである。図６ないし図８は、実施例（１）  を示し、ＣＰＵの処理による場合を例示している。図  ９，  図１０は実施例（２）  を示し、マトリックス制御による場合を例示している。
【００４７】
図６は、実施例（１）  における切替制御部の構成を示したものであって、１１はＡＬＭ信号を入力するための入力レジスタ、１２は中央処理装置（ＣＰＵ）、１３は選択信号を出力するための出力レジスタである。
【００４８】
また図７は、実施例（１）  における結合情報を示したものであって、基本切替単位を示すアドレス（データＸ）ごとに、図示のようなデータからなっている。ここで、データの上位桁は、０によって結合なしの場合を示し、０以外の数字によって結合ありの場合の結合の番号（データＹ）を昇順に示している。またデータの下位桁は、上位桁が０の場合は１に固定され、０以外の場合は結合される基本切替単位の数を示す。
【００４９】
図８は、実施例（１）  のフローチャートを示したものである。以下、図６ないし図８に基づいて、実施例（１）  の場合の選択信号の出力動作を説明する。
【００５０】
ＣＰＵ１２は、プログラム等を格納するためのＲＯＭや、内部処理のためのＲＡＭ等を含んでおり、常時、入力レジスタ１１を介して、ＡＬＭ信号（ＡＬＭ１〜ＡＬＭｎ，ＡＬＭ１’〜ＡＬＭｎ’）の状態を読み込んで、図７に示された結合情報に従って、信号パス切り替えのための選択信号ＣＯＮＴ１〜ＣＯＮＴｎを発生して、出力レジスタ１３を介して出力する。
【００５１】
図８において、ＡＬＭ信号がないときは前回の選択信号を準備し、ＡＬＭ信号があるときは、０系のＡＬＭ信号または１系のＡＬＭ信号に応じて、１系または０系の選択信号を準備する。
【００５２】
そして結合情報が結合なしのときは、メモリ番地としてＸ＋Ｙを記憶して、準備した選択信号のデータａを書き込む。結合なしの場合はＹ＝０なので、基本切替単位のアドレスに選択信号が出力される。
【００５３】
結合ありのときは、結合番号が０以外、または０以外で値が変化したときの選択信号のデータａを書き込むメモリの番地Ｘを記憶し、Ｘ番地からＹ個連続してデータａを書き込む。これによって、基本切替単位をＸ番地からＹ個結合するように選択信号が出力される。
【００５４】
図９は、実施例（２）  における切替制御部の構成を示したものであって、マトリックス制御による場合を例示し、２１１−２  〜２１１−ｎ，２１２−１  〜２１２−ｎ，…，  ２１ｎ−１  〜２１ｎ−（ｎ−１）  はインヒビット・ゲート、２２１，２２２，…，  ２２ｎ  はオア・ゲート、２３は０系と１系を選択するための選択信号を出力する０／１選択部である。
【００５５】
また、図１０は、実施例（２）  における結合情報を示したものであって、図中、ゲートは、図９におけるインヒビット・ゲート２１１−２  〜２１１−ｎ，２１２−１  〜２１２−ｎ，…，  ２１ｎ−１  〜２１ｎ−（ｎ−１）  に対応し、基本切替単位数ｎ＝５の場合を例示している。またＣＯＮＴは０／１選択部２３から出力される選択信号を示し、○は結合あり、無表示は結合なしを示している。
【００５６】
各インヒビット・ゲートは、結合情報に応じてオンになり、インヒビット・ゲートを通過したＡＬＭ信号と、各オア・ゲートに固有のＡＬＭ信号とが連結されて、０／１選択部２３に入力される。０／１選択部２３は、０系のＡＬＭ信号に応じて１系の選択信号を出力し、１系のＡＬＭ信号に応じて０系の選択信号を出力する。
【００５７】
図１０においては、インヒビット・ゲート２１３−４  がオンになることによって、選択信号として、アドレス３と４の基本切替単位を結合するＣＯＮＴ３が出力され、インヒビット・ゲート２１４−３  がオンになることによって、選択信号として、アドレス４と３の基本切替単位を結合するＣＯＮＴ４が出力されるので、いずれの場合も、アドレス３と４の基本切替単位が結合されることが示されている。
【００５８】
図１１は、実施例（３）  を示したものであって、定義されたフレーム情報を有しない場合の、固有フレーム情報を例示している。（ａ）は固有フレーム情報の一般的な挿入方法を示し、（ｂ）は固有フレーム情報の構成例を示している。
【００５９】
固有フレーム情報は、図５に示された０系信号１〜ｎ，１系信号１’〜ｎ’に含まれるものであり、その挿入方法としては、図１１（ａ）▲１▼に示すようにデータ（６４ｋｂｐｓ×ｃ）の先頭に挿入する場合と、▲２▼に示すようにデータ（６４ｋｂｐｓ×ｃ）の末尾に挿入する場合とがある。
【００６０】
いま、８フレームによって１マルチフレームを構成する場合であって、固有フレーム情報に１バイト（８ビット）を割り当てるものとする。図１１（ｂ）において▲１▼は、ＡＬＭの検出にパリティを使用する場合を例示している。図中、Ｆはフレームビットであって、先頭フレームに挿入され、０／１の交番パターンまたは０固定パターンとする。先頭フレーム以外では、同じ位置に１を挿入する。またＰは、１フレームごとのパリティ・ビットである。
【００６１】
また図１１（ｂ）において▲２▼は、ＡＬＭの検出にＣＲＣを利用する場合を例示している。図中、フレームビットは▲１▼の場合と同様である。Ｃ１，Ｃ２，Ｃ３，Ｃ４，Ｃ５はＣＲＣ５の場合の１フレームごとのＣＲＣビットであって、各フレームに対応して挿入される。
【００６２】
なお、本発明は、切替制御部５において、０／１系の切り替えを行なう場合でも、Ｎ／Ｅ系の切り替えを行なう場合でも適用できる。Ｎ／Ｅ系の切り替えを行なう場合は、Ｎ系障害時、Ｅ系に切り替えられても、復旧後はＮ系に切り戻されるので、切替制御部５が、正常側を選択することによって、必ず同一経路の信号が選択され、従って結合情報がない場合でも、切替単位の速度に制限されない切り替えを行なうことができる。
【００６３】
【発明の効果】
以上説明したように本発明によれば、送信ハイブリッド／受信選択方式のリングネットワークにおける二重化通信のパス切り替えを行なう際に、切替時に通信を確保するために、ノード間の通信パスの速度が、切替単位の速度に制限されないようにしたので、リングネットワークにおける回線構成効率を向上することができる。
【図面の簡単な説明】
【図１】本発明の原理的構成（１）  を示す図である。
【図２】本発明の原理的構成（２）  を示す図である。
【図３】本発明の動作タイムチャート（１）  を示す図である。
【図４】本発明の動作タイムチャート（２）  を示す図である。
【図５】本発明の動作タイムチャート（３）  を示す図である。
【図６】実施例（１）  における切替制御部の構成を示す図である。
【図７】実施例（１）  における結合情報を示す図である。
【図８】実施例（１）  のフローチャートを示す図である。
【図９】実施例（２）  における切替制御部の構成を示す図である。
【図１０】実施例（２）  における結合情報を示す図である。
【図１１】実施例（３）  を示す図であって、（ａ）は固有フレーム情報の一般的な挿入方法を示し、（ｂ）は固有フレーム情報の構成例を示す。
【図１２】リングネットワークを示す図である。
【符号の説明】
３  基本切替単位同期部
４  基本切替単位同期部
５  切替制御部
６  切替部
７  固有フレーム同期部
８  固有フレーム同期部
【図１】
0003561853.tif 000002
【図２】
0003561853.tif 000003
【図３】
0003561853.tif 000004
【図４】
0003561853.tif 000005
【図５】
0003561853.tif 000006
【図６】
0003561853.tif 000007
【図７】
0003561853.tif 000008
【図８】
0003561853.tif 000009
【図９】
0003561853.tif 000010
【図１０】
0003561853.tif 000011
【図１１】
0003561853.tif 000012
【図１２】
0003561853.tif 000013